(57)【要約】【目的】  ファイル管理に必要な情報の機能を制限することなく、データ記録途中に記録媒体が排出されたとき必要な安全策を確実に講じることが可能な装置を提供する。【構成】  装着された記録媒体２とその挿脱方向に一つの規格長さで電気的に接触する電気接点４０ｂと、記録媒体２を排出する排出機構と、排出機構による記録媒体２の排出動作を、電気接点４０ｂと記録媒体２との接触が外れる前の第１時期に検出する検出スイッチ１９と、排出機構による記録媒体２の排出動作を、電気接点４０ｂと記録媒体２との接触が外れる前でかつ第１時期よりも遅い第２時期に検出する在否ピン４０ｃとを具備する。【選択図】        図２
2005141775.tif 000002
【特許請求の範囲】
【請求項１】
装着された記録媒体とその挿脱方向に一つの規格長さで電気的に接触する電気接点と、
前記記録媒体を排出する排出機構と、
前記排出機構による前記記録媒体の排出動作を、前記電気接点と前記記録媒体との接触が外れる前の第１時期に検出する第１検出手段と、
前記排出機構による前記記録媒体の排出動作を、前記電気接点と前記記録媒体との接触が外れる前でかつ前記第１時期よりも遅い第２時期に検出する第２検出手段と、
を備えたことを特徴とする記録媒体が装着可能な装置。
【請求項２】
前記第１検出手段による排出動作の検出に応答して前記電気接点を介した前記記録媒体への第１情報の記録を開始し、前記第２検出手段による排出動作の検出に応答して前記電気接点を介した前記記録媒体への第２情報の記録を開始する記録制御手段を備えたことを特徴とする請求項１記載の記録媒体が装着可能な装置。
【請求項３】
装着された記録媒体とその挿脱方向に電気的に接触する第１の電気接点と、
前記装着された記録媒体とその挿脱方向に電気的に接触し、かつ前記記録媒体の排出時には前記第１の電気接点よりも早い時期に前記記録媒体との接触が外れる第２の電気接点と、
前記記録媒体を排出する排出機構と、
前記排出機構による前記記録媒体の排出動作を、前記第１の電気接点と前記記録媒体との接触が外れる前でかつ前記第２の電気接点と前記記録媒体との接触が外れる時期とは異なる時期に検出する排出動作検出手段と、
を備えたことを特徴とする記録媒体が装着可能な装置。
【請求項４】
前記第１の電気接点および前記第２の電気接点の双方が前記記録媒体と嵌合するピン状に構成され、前記第１の電気接点が前記第２の電気接点よりも長いことを特徴とする請求項３記載の記録媒体が装着可能な装置。
【請求項５】
前記記録媒体の装着時には前記第１の電気接点よりも早い時期に前記記録媒体と電気的に接触し、前記記録媒体の排出時には前記第１の電気接点よりも遅い時期に前記記録媒体との接触が外れる第３の電気接点が設けられたことを特徴とする請求項３記載の記録媒体が装着可能な装置。
【請求項６】
記録媒体が装填される装填室と、
前記装填室を開閉して前記記録媒体の挿脱を可能とする蓋部材と、
前記装填室に装着された記録媒体とその挿脱方向に電気的に接触する第１の電気接点と、
前記装填室に装着された記録媒体とその挿脱方向に電気的に接触し、かつ前記記録媒体の排出時には前記第１の電気接点よりも早い時期に前記記録媒体との接触が外れる第２の電気接点と、
前記蓋部材の開動作を検出する開動作検出手段と、
を備えたことを特徴とする記録媒体が装着可能な装置。
【発明の詳細な説明】
【技術分野】
【０００１】
本発明は、電子スチルカメラのように、記録媒体が装着可能な装置に関する。
【背景技術】
【０００２】
近年、メモリーチップを内蔵したいわゆるメモリーカートリッジに画像データや音声データを記録する装置が開発されている。この種の装置には、装置側の電気接点ピンとメモリーカートリッジ側の電気接点ソケットとの嵌合を外してメモリーカートリッジを装置外へ排出する排出機構が設けられている（例えば特開平２−５４３８８号公報参照）。
【発明の開示】
【発明が解決しようとする課題】
【０００３】
上述した装置では、撮影画面１駒分の画像データのように、一つのまとまったデータ（以下、ファイルと呼ぶ）を記録している途中でメモリーカートリッジが排出されると、そのファイルを最後まで記録できない。ファイルの最後には、ファイル管理に必要な各種の情報が記録されるが、その管理情報が欠落すると種々の不都合が生じる。例えば、メモリーカートリッジの記憶領域に書き込まれた種々のデータのうちどこまでが正式に記録された一つのファイルなのか判別できず、ファイルの再生が不可能となる。一つのファイルの終了位置が不明であると追加記録ができないおそれもある。デェイジーチェーン方式と呼ばれる記録方法では、連続した複数のファイルを記録するとき、一つのファイルの最後に次のファイルのアドレス情報を書き込むことが義務付けられているが、このアドレス情報が欠落するとその後のファイルが読み取り不可能となる。
【０００４】
このような問題を解決するため、例えば排出機構の排出動作を検出し、データ記録用の電気接点が実際に外れるまでのタイムラグを利用してファイル途中でも管理情報を強制的に書き込むことが考えられる。しかし、排出動作を検出してから電気接点が外れるまでの短い時間に管理情報を確実に書き込みできる保障はなく、管理情報の記録途中で電気接点が外れたときはもはやメモリーカートリッジに対して何の情報も記録できないからメモリーカートリッジに対して何の処置も施せない。記録媒体の排出動作中の極く短時間で記録が完了するようにファイル管理情報のデータ量を制限すると、管理情報に十分な機能を与えることができない。さらに、電気接点の接触長さには多少のばらつきがあるため、接地用の電気接点等が先に外れるとその時点でデータ記録信号が正常でなくなり、記録中のデータが破壊されるばかりでなく、メモリーカートリッジや装置内の他のデータにも異常が生じるおそれがある。
【０００５】
本発明の目的は、ファイル管理に必要な情報の機能を制限することなく、データ記録途中に記録媒体が排出されたとき必要な安全策を確実に講じることが可能な装置を提供することにある。
【課題を解決するための手段】
【０００６】
一実施例を示す図１、図２および図５に対応付けて説明すると、請求項１の発明は、装着された記録媒体２とその挿脱方向に一つの規格長さで電気的に接触する電気接点４０ｂと、記録媒体２を排出する排出機構３，５，６と、排出機構３，５，６による記録媒体２の排出動作を、電気接点４０ｂと記録媒体２との接触が外れる前の第１時期に検出する第１検出手段１９と、排出機構３，５，６による記録媒体２の排出動作を、電気接点４０ｂと記録媒体２との接触が外れる前でかつ第１時期よりも遅い第２時期に検出する第２検出手段４０ｃとを備えた装置により上述した目的を達成する。
請求項２の発明は請求項１の装置に適用され、第１検出手段１９による排出動作の検出に応答して電気接点４０ｂを介した記録媒体２への第１情報の記録を開始し、第２検出手段４０ｃによる排出動作の検出に応答して電気接点４０ｂを介した記録媒体２への第２情報の記録を開始する記録制御手段７０を備える。
請求項３の発明は、装着された記録媒体２とその挿脱方向に電気的に接触する第１の電気接点４０ｂと、装着された記録媒体２とその挿脱方向に電気的に接触し、かつ記録媒体２の排出時には第１の電気接点４０ｂよりも早い時期に記録媒体２との接触が外れる第２の電気接点４０ｃと、記録媒体２を排出する排出機構３，５，６と、排出機構３，５，６による記録媒体２の排出動作を、第１の電気接点４０ｂと記録媒体２との接触が外れる前でかつ第２の電気接点４０ｃと記録媒体２との接触が外れる時期とは異なる時期に検出する排出動作検出手段１９とを備えた装置により上述した目的を達成する。
請求項４の発明は請求項３の装置に適用され、第１の電気接点４０ｂおよび第２の電気接点４０ｃの双方が記録媒体２と嵌合するピン状に構成され、第１の電気接点４０ｂが第２の電気接点４０ｃよりも長い。
請求項５の発明は請求項３の装置に適用され、記録媒体２の装着時には第１の電気接点４０ｂよりも早い時期に記録媒体２と電気的に接触し、記録媒体２の排出時には第１の電気接点４０ｂよりも遅い時期に記録媒体２との接触が外れる第３の電気接点４０ａが設けられている。
請求項６の発明は、記録媒体２が装填される装填室１１と、装填室１１を開閉して記録媒体２の挿脱を可能とする蓋部材３と、装填室１１に装着された記録媒体２とその挿脱方向に電気的に接触する第１の電気接点４０ｂと、装填室１１に装着された記録媒体２とその挿脱方向に電気的に接触し、かつ記録媒体２の排出時には第１の電気接点４０ｂよりも早い時期に記録媒体２との接触が外れる第２の電気接点４０ｃと、蓋部材３の開動作を検出する開動作検出手段１９とを備えた装置により上述した目的を達成する。
【０００７】
請求項１の発明では、排出機構３，５，６による記録媒体２の排出が始まると、その動作が第１検出手段１９および第２検出手段４０ｃで順次に検出され、その後に電気接点４０ｂと記録媒体２との接触が外れる。従って、第１検出手段１９による排出動作の検出に応答してファイル管理に必要な情報の記録を開始し、その記録途中で第２検出手段４０ｃにより排出動作の進行が検出されたならば緊急の対策を講じることができる。
請求項２の発明では、第１検出手段１９の検出に応答して第１情報の記録が開始され、その記録途中で第２検出手段４０ｃにより排出動作の進行が検出されたならば第１情報の記録が中止されて第２情報が緊急に記録される。
請求項３の発明では、記録媒体２が排出方向へ実際に移動すると、まず第２の電気接点４０ｃの接触が外れる。従って、第２の電気接点４０ｃが接触しているか否かを検出すれば、第１の電気接点４０ｂの接触が外れることをその直前に予想して緊急の対策を講じることができる。一方、排出動作検出手段１９にて第２の電気接点４０ｃの接触が外れる時期とは異なる時期に排出動作の開始が検出されるので、例えば排出機構の動作開始から記録媒体２が実際に移動するまでの間にタイムラグがある場合、第２の電気接点４０ｃの接触が外れるよりも前に排出動作を検出してファイル管理に必要な情報の記録を早期に開始できる。
請求項４の発明では、第１の電気接点４０ｂおよび第２の電気接点４０ｃを装置内の同一位置から記録媒体２の排出方向に突出させて配置するだけで、第１の電気接点４０ｂおよび第２の電気接点４０ｃと記録媒体２との接触が外れる時期の関係を請求項３の発明に一致させることができる。
請求項５の発明では、記録媒体２の装着時には第３の電気接点４０ａが第１の電気接点４０ｂよりも早く接触し、排出時には第１の電気接点４０ｂよりも第３の電気接点４０ａの方が遅くに接触が外れる。従って、第１の電気接点４０ｂをデータ記録用としたとき、記録媒体２の装着時には第３の電気接点４０ａを利用して装置側と媒体側の電位を一致させてデータ記録回路の電子部品を保護し、記録媒体２の排出時には第３の電気接点４０ａを利用して記録媒体２側に電源を供給してデータ記録中の電源遮断を防止できる。
請求項６の発明では、記録媒体２の排出時には蓋部材３がまず開放されるので、開動作検出手段１９により排出動作をいち早く検出してファイル管理に必要な情報の記録を開始できる。記録媒体２が排出方向へ実際に移動すると、まず第２の電気接点４０ｃの接触が外れる。従って、第２の電気接点４０ｃが接触しているか否かを検出すれば、第１の電気接点４０ｂの接触が外れることをその直前に予想して緊急の対策を講じることができる。
【０００８】
なお、本発明の構成を説明する上記課題を解決するための手段と作用の項では、本発明を分かり易くするために実施例の図を用いたが、これにより本発明が実施例に限定されるものではない。
【発明の効果】
【０００９】
以上説明したように、本発明では、記録媒体の排出動作を二つの時期に分けて検出するので、最初の検出時点でファイル管理に必要な情報の記録を開始し、その後、排出動作の進行が検出された時点で緊急の対策を講じることができる。従って、排出動作中の記録を前提としてファイル管理に必要な情報の機能を制限する必要がなく、データ記録中に記録媒体が排出されたときの安全策も確実に講じることができる。特に請求項２の発明では緊急避難的な情報を記録媒体に記録できるので、その情報を手がかりとしてファイルの修復等の事後処理が可能となる。請求項３の発明では、二種類の電気接点の接触が外れる時期の相違により、データ記録に必要な電気接点の接触が外れることをその直前に予想して緊急の対策を講じることができ、その一方で排出機構による排出動作開始を早期に検出してファイル管理に必要な情報の記録をいち早く開始できる。請求項４の発明では二種類の電気接点の接触が外れる時期の相違を簡素な構成で実現でき、請求項３の発明を実施する際のコストの低減や装置の小型化を達成できる。請求項５の発明では、第３の電気接点を利用して記録媒体の排出時に必要な情報の記録が終了するまで記録媒体側に確実に電源を供給してデータの破壊等の不都合を回避できるので、請求項３の発明の作用効果を確実に発揮させることができる。また、記録媒体装着時の装置と媒体との電位差を解消してデータ記録回路の電子部品を保護することも可能である。請求項６の発明では、二種類の電気接点の接触が外れる時期の相違を利用して、データ記録に必要な電気接点の接触が外れることをその直前に予想して緊急の対策を講じることができ、その一方で蓋部材の開動作の検出により記録媒体の排出を最先に検出してファイル管理に必要な情報の記録をいち早く開始できる。
【発明を実施するための最良の形態】
【００１０】
以下、図１〜図１０を参照して本発明を電子スチルカメラに適用した実施例を説明する。まず、図４〜図８により本実施例の電子スチルカメラ（以下、カメラと略称する。）に設けられたメモリーカートリッジの挿脱機構について説明する。図４は本実施例のカメラの背面側の外観を示す。本実施例のカメラでは、カメラボディ１の背面１０のほぼ中央にメモリーカートリッジ２の装填室１１が形成され、この装填室１１を覆うように扉３が設けられている。図５に示したように、扉３はカメラボディ１に回動軸３０を中心として回動可能に取り付けられ、板ばね１２により装填室１１を開く方向に付勢されている。以下では扉３の回動軸３０側を支点側、回動軸３０に対して反対側を先端側と呼ぶ。扉３の先端側にはメモリーカートリッジ２の挿脱方向にスライド可能なノブ３１が設けられ、このノブ３１はばね３２ａにより扉３の先端側に付勢されている。扉３の一対の側壁３３（図４参照）にはメモリーカートリッジ２の挿脱方向に延びる一対のカード案内溝３３０（図５では片側のみ示す）が形成されている。扉３の支点側には凹部３４が設けられ、この凹部３４内に端子台４が取り付けられている。端子台４にはメモリーカートリッジ２の端子孔（図２の２１ａ〜２１ｃ）と電気的に嵌合する端子ピン群４０が設けられている。端子ピン群４０はＦＰＣ（フレキシブルプリント基板）１３を介して図２の制御装置７０と接続されるが、詳細は後述する。
【００１１】
扉３の内側にはカード駆動板５および連結板６が配置されている。連結板６は装填室１１の底面に軸６０を介して回動可能に取り付けられ、連結板６とカード駆動板５とは軸５１を介して回動可能に連結されている。軸５１の両端は扉３の側壁３３に設けられたカム溝３３１と嵌合する。カード駆動板５の一端は扉３の凹部３４に挿入されている。これらカード駆動板５および連結板６の作用により扉３の開閉動作に連動してメモリーカートリッジ２が着脱される。
【００１２】
すなわち、図５および図６に示すようにメモリーカートリッジ２を扉３の先端側からカード案内溝３３０に挿入し、その後、扉３を装填室１１に向けて押し込むと、図７に示すようにメモリーカートリッジ２がカード駆動板５の爪５２（図４参照），５３の間に入り込む。このときカード駆動板５の両側に突出した押え部５６が扉３の側壁３３の下面と係合する。図７の状態からさらに扉３を押し込むと、カード駆動板５の押え部５６が扉３にて押し下げられ、これに伴って連結板６が軸６０を中心として図の時計方向に回転しつつ軸５１がカム溝３３１に沿って移動してカード駆動板５が扉３の支点側に移動する。この結果、メモリーカートリッジ２が爪５２で端子台４側へ押し込まれ、メモリーカートリッジ２の端子孔と端子ピン群４０とが嵌合する。
【００１３】
図８の状態ではノブ３１がカメラボディ１の突起１７と係合し、扉３の開放が阻止される。また、扉３と一体の梁３３２に取り付けられた弾性材料製のリング３７と装填室１１の底面の段付きピン１６とが嵌合するため、ノブ３１が突起１７から外れる方向へ誤操作されても扉３が直ちには開かない。なお、５４はメモリーカートリッジ２を扉３に押し付ける板ばねである。
【００１４】
図８の状態からノブ３１を扉３の支点側にスライド操作して突起１７との係合を外し、続いて扉３を開放すると、上記の装着時とは逆にカード駆動板５が扉３の先端側に移動する。従って、メモリーカートリッジ２はカード駆動板５の爪５３に押されて端子ピン群４０から抜き取られ、図６の位置まで排出される。この状態ではメモリーカートリッジ２を掴んでカード案内溝３３０から引き出すことができる。
【００１５】
図５〜図８に示すように、装填室１１の底面にはリミットスイッチ１９が配置されている。扉３が完全に閉じた図８の状態ではリミットスイッチ１９の接点１９ａが扉３の側壁部３３に押されて接点１９ｂと接触し、扉３が幾らか開くと両接点１９ａ，１９ｂが離間する（図５〜図７参照）。以下では接点１９ａ，１９ｂが接触した状態をオン、接点１９ａ，１９ｂが開いた状態をオフと呼ぶ。オン・オフのタイミングの詳細は後述する。
【００１６】
図１（ａ）は端子台４とメモリーカートリッジ２との関係を示す斜視図である。端子台４の両端にはメモリーカートリッジ２の両側の凹部２０ａ，２０ｂと嵌合可能な凸部４１ａ，４１ｂが形成されている。凹部２０ａ，２０ｂおよび凸部４１ａ，４１ｂの幅および形成位置は左右で異なる。このため、メモリーカートリッジ２を図中の上下方向に反転させて挿入すると、凹部２０ａ，２０ｂおよび凸部４１ａ，４１ｂが嵌合せずメモリーカートリッジ２を端子ピン群４０に規定量挿入することができない。メモリーカートリッジ２をその挿脱方向に逆向きに挿入したときも同様である。このようにメモリーカートリッジ２の挿入姿勢を誤った場合、図９に示すようにメモリーカートリッジ２が爪５２と係合する手前の位置で停止し、そのまま扉３を押し込むと図１０に示すようにメモリーカートリッジ２が扉３とカメラボディ１の背面１０との間に挟まれる。なお、上述したカード駆動板５の爪５３は、端子ピン群４０と凸部４１ａ，４１ｂとの隙間に入り込むように設けられている。
【００１７】
図１（ａ）のＢ部を拡大した図１（ｂ）から明らかなように、端子ピン群４０には、メモリーカートリッジ２に電源を供給する電源ピン４０ａと、カメラとメモリーカートリッジ２との間のデータ伝送用の多数の信号ピン４０ｂと、メモリーカートリッジ２の存否を検出する在否ピン４０ｃとが設けられている。ピン４０ａ〜４０ｃの長さは、電源ピン４０ａが最も長く、信号ピン４０ｂが中間の長さで、在否ピン４０ｃが最も短い。従って、メモリーカートリッジ２が装填室１１から排出されるとき、最初に在否ピン４０ｃとメモリーカートリッジ２との接触が外れ、次に信号ピン４０ｂの接触が外れ、最後に電源ピン４０ａの接触が外れる。そして、上述したリミットスイッチ１９（図５参照）が扉３の開動作に連係してオンからオフに変化するタイミングは、在否ピン４０ｃの接触が外れるよりも確実に早くなるよう設定されている。なお、図１（ａ）に示すように、電源ピン４０ａは、端子ピン群４０の両端部および中央部にそれぞれ上下２本ずつ合計６本設けられている。また、在否ピン４０ｃは端子ピン群４０の両端部に１本ずつ合計２本設けられている。
【００１８】
図２はカメラの制御系のうち、特に上述したメモリーカートリッジ２との間のデータ伝送に係る部分の構成を示すブロック図である。７０はマイクロコンピュータおよびその動作に必要なメモリ等の周辺装置を備えた制御装置である。制御装置７０はメモリーカートリッジ２に対するデータ記録の他、撮影動作や画像データの圧縮などの各種の制御を行うが、それらに関する部分は図示を省略した。電源ピン４０ａおよび在否ピン４０ｃは１部のみ示している。制御装置７０には、データ伝送用のインターフェース７１を介して端子台４の信号ピン４０ｂが接続されるとともに、上述したリミットスイッチ１９および在否ピン４０ｃも接続されている。一対の電源ピン４０ａの一方は接地され他方は電源７２と接続されている。メモリーカートリッジ２にはピン４０ａ，４０ｂ，４０ｃとそれぞれ嵌合する端子孔２１ａ，２１ｂ，２１ｃが設けられるが、在否ピン４０ｃと嵌合する端子孔２１ｃは電源回路２２を介して電源供給用の一対の端子孔２１ａの接地側と接続されている。このため、端子孔２１ｃと在否ピン４０ｃとの接触が外れた状態では在否ピン４０ｃの電位がＨレベルにプルアップされ、在否ピン４０ｃと端子孔２１ｃとが接触すると在否ピン４０ｃの電位がＬレベルに低下する。従って、在否ピン４０ｃの電位によりメモリーカートリッジ２の存否を識別できる。なお、図２では端子孔２１ａ〜２１ｃを同一長さとしたが、ピン４０ａ〜４０ｃの長さに合わせて変化させてもよい。
【００１９】
図３は制御装置７０にて実行される各種の処理のうち、メモリーカートリッジ２へのデータ記録に係るルーチンを示すものである。メモリーカートリッジ２へのデータ記録が指示されると、制御装置７０はそれまで実行していた処理を一旦終了して図示の処理を開始し、まず、ステップＳ１０１で信号ピン４０ｂを介してデータ記録を開始する。続いてステップＳ１０２でデータ記録が終了したか否か判断し、記録途中であればステップＳ１０２でリミットスイッチ１９がオンか否か判断する。オンであればステップＳ１０１へ戻り、データ記録を続ける。ステップＳ１０２でデータ記録が終了していると判断したときは、図３の処理を終えて従前の処理に復帰する。
【００２０】
データ記録途中にステップＳ１０３でリミットスイッチ１９がオフと判断したとき（扉３の開動作の開始を意味する）はステップＳ１０４へ進み、記録途中のファイルに対する所定のファイル管理情報の記録を開始する。続くステップＳ１０５では在否ピン４０ｃとメモリーカートリッジ２の端子孔２１ｃとが接続されているか否か判断し、接続中であればステップＳ１０６でファイル管理情報の記録が完了したか否か判断する。ファイル管理情報の記録が完了していればステップＳ１０８へジャンプし、記録途中であればステップＳ１０４へ戻ってファイル管理情報の記録を続ける。
【００２１】
ファイル管理情報の記録途中にステップＳ１０５で在否ピン４０ｃが断続していると判断したときはステップＳ１０７へ進み、記録途中のファイルに対して記録未了フラグを記録する。この記録未了フラグはファイル管理情報が不完全であることを識別できるものであればよいので、通常は１ビットのデータ量で十分である。従って、在否ピン４０ｂの接触が外れてから信号ピン４０ｂの接触が外れるまでの短い時間でも信号ピン４０ｂを介して確実に記録未了フラグを記録できる。ステップＳ１０７の終了後はステップＳ１０８でカメラ内部におけるメモリーカートリッジ不在処置を行って従前の処理に復帰する。
【００２２】
以上のように、本実施例ではメモリーカートリッジ２の排出動作を端子ピン４０群が抜け始めるよりも早い時期にリミットスイッチ１９で検出してファイル管理情報の記録を開始するので、在否ピン４０ｃの抜けを検出してからファイル管理情報の記録を開始する場合と比較してファイル管理情報を完全に記録できる可能性が高い。特に、実施例のカメラでは軸５１や軸６０の嵌合部分のガタにより扉３が開動作を開始してからカード駆動板５が扉３の先端側（図５の左方）に移動を開始するまでに遅れが生じるので、リミットスイッチ１９がオフになってから在否ピン４０ｃが抜けるまでに十分な時間があり、ファイル管理情報を完全に記録できる可能性が一層高い。
【００２３】
ファイル管理情報が不完全なファイルに対して記録未了フラグが記録されるので、そのフラグにより不完全なファイルを特定して必要な処置を施すことができる。例えば、市販のファイルメンテナンスソフトを利用してファイル管理情報を修復できる可能性がある。在否ピン４０ｃが抜けた時点でファイル管理情報の記録を開始するならば、ファイル管理情報の記録途中で信号ピン４０ｂが抜けるとメモリーカートリッジ２に如何なる情報も記録することができず、ファイル管理情報の欠落が判別できない。
【００２４】
また、本実施例ではメモリーカートリッジ２の排出時に電源ピン４０ａが最も遅くまでメモリーカートリッジ２と接触しているので、上述した記録未了フラグの記録中に電源が切れてデータが破壊されるおそれがない。メモリーカートリッジ２を装着する際には、静電気などの帯電によりメモリーカートリッジ２の電位と端子ピン群４０の電位とが大きく異なっていても、まず電圧強度的に強い電源ピン４０ａがメモリーカートリッジ２側と接触して両者の電位が等しくなった後に信号ピン４０ｂが接触するから、電圧強度が比較的弱いメモリーカートリッジ２内の電子部品が破損するおそれもない。
【００２５】
以上の実施例では、メモリーカートリッジ２が記録媒体を、扉３が蓋部材を、扉３、カード駆動板５および連結板６が排出機構を、リミットスイッチ１９が請求項１，２の第１検出手段、請求項３の排出動作検出手段および請求項６の開動作検出手段を、在否ピン４０ｃが請求項１，２の第２検出手段および請求項３〜６の第２の電気接点を、信号ピン４０ｂが請求項１，２の電気接点および請求項３〜６の第１の電気接点を、電源ピン４０ａが第３の電気接点を、制御装置７０が記録制御手段をそれぞれ構成する。
【００２６】
なお、実施例ではピン４０ａ，４０ｂ，４０ｃの長さを変化させて端子ピン群４０とメモリーカートリッジ２の接触が外れる時期を調整したが、本発明はこのような態様に限定されない。例えば、ピン４０ａ〜４０ｃが同一長さであっても、メモリーカートリッジ２の端子孔側の電気的接触領域の長さが相違すれば、接触が外れる時期を変化させることができる。端子台４をピン４０ａ，４０ｂ，４０ｃ毎に分割し、扉３の開動作に連動して各端子台を必要な順序でメモリーカートリッジ２から後退させてもよい。但し、本実施例のようにピン４０ａ〜４０ｃの長さ調整で対応する場合には一つの端子台４にすべてのピン４０ａ〜４０ｃを並べておくだけで良いので、装置の小型化や製造コストの低減に有利である。また、実施例では扉３の開方向への移動をリミットスイッチ１９で検出したが、ノブ３１のスライド操作を検出すればより早く排出動作を検出できる。他にも、扉３の開動作に連係して移動する部分であれば、適宜開動作の検出に利用できる。扉３とは別個に排出機構を構成する場合でも本発明は適用可能である。電子スチルカメラ以外の装置にも本発明は適用できる。
【図面の簡単な説明】
【００２７】
【図１】本発明の実施例に係るメモリーカートリッジとカメラ内の端子台との接続部分を示し、（ａ）はメモリーカートリッジおよび端子台の全体を示す斜視図、（ｂ）は（ａ）のＢ部の拡大図。
【図２】実施例のカメラの制御系のうちデータ記録部分の構成を示すブロック図。
【図３】図２の制御装置にて実行されるデータ記録処理を示すフローチャート。
【図４】実施例のカメラの背面側からの斜視図。
【図５】実施例のカメラにおいて、メモリーカートリッジの装填室の扉を最大に開けた状態を示す図。
【図６】図５の扉にメモリーカートリッジを挿入した状態を示す図。
【図７】図６の状態から扉を幾らか閉めた状態を示す図。
【図８】図５の扉を完全に閉めた状態を示す図。
【図９】図５の扉にメモリーカートリッジを誤った向きで挿入した状態を示す図。
【図１０】図９の状態から扉を閉めた状態を示す図。
【符号の説明】
【００２８】
１  カメラボディ
２  メモリーカートリッジ
３  装填室の扉
４  端子台
５  カード駆動板
６  連結板
１１  メモリーカートリッジの装填室
１９  扉開動作検出用のリミットスイッチ
２１ａ，２１ｂ，２１ｃ  メモリーカートリッジの端子孔
２２  メモリーカートリッジの電源回路
４０  端子ピン群
４０ａ  電源ピン
４０ｂ  データ伝送用の信号ピン
４０ｃ  在否ピン
【図１】
2005141775.tif 000003
【図２】
2005141775.tif 000004
【図３】
2005141775.tif 000005
【図４】
2005141775.tif 000006
【図５】
2005141775.tif 000007
【図６】
2005141775.tif 000008
【図７】
2005141775.tif 000009
【図８】
2005141775.tif 000010
【図９】
2005141775.tif 000011
【図１０】
2005141775.tif 000012
【手続補正書】
【提出日】平成17年2月25日(2005.2.25)
【手続補正１】
【補正対象書類名】特許請求の範囲
【補正対象項目名】全文
【補正方法】変更
【補正の内容】
【特許請求の範囲】
【請求項１】
側面に凹部と電気接点とを有する、メモリーチップを内蔵した記録媒体が装填され、該凹部と嵌合して前記記録媒体の挿入姿勢を規定する凸部と前記記録媒体の電気接点と接触する電気接点とを側面に備えた装填室と、
該装填室を開閉する蓋部材とを有し、
前記記録媒体は、前記凹部が前記凸部と嵌合する正常姿勢でのみ前記装填室に正常に装填可能で、前記凹部が前記凸部に嵌合されない誤姿勢では、正常に装填されずに前記記録媒体の少なくとも一部が前記装填室より露出したままとなり、
前記装填室に前記記録媒体が前記正常姿勢で装填された場合は、前記記録媒体の電気接点と前記装填室の電気接点とが接触し、かつ前記蓋部材による前記装填室の閉成が可能で、前記記録媒体が誤姿勢で挿入された場合は、前記記録媒体の電気接点と前記装填室の電気接点とが接触せず、かつ前記露出した記録媒体との干渉により前記蓋部材の閉成が阻止されるよう構成したことを特徴とする電子カメラの記録媒体装填構造。
【手続補正２】
【補正対象書類名】明細書
【補正対象項目名】全文
【補正方法】変更
【補正の内容】
【発明の詳細な説明】
【技術分野】
【０００１】
本発明は、電子スチルカメラに設けられた記録媒体装填構造に関する。
【背景技術】
【０００２】
近年、メモリーチップを内蔵したいわゆるメモリーカートリッジに画像データや音声データを記録する装置が開発されている。特許文献１には、記録媒体が装填される装填室と、この装填室を開閉する蓋部材とを有する装置が開示されている。この装置では、記録媒体への読み出し／書き込み中に蓋が開かれると、ファイルクローズなどの処理を行うことで、ファイルの破損を防止する。
【０００３】
【特許文献１】特開昭６３−３００３７１号公報
【発明の開示】
【発明が解決しようとする課題】
【０００４】
しかしながら、特許文献１では、記録媒体が誤った姿勢で装填された場合の対策については言及されていない。
【課題を解決するための手段】
【０００５】
一実施形態を示す図面に対応づけて説明すると、本発明に係る電子カメラの記録媒体装填構造は、側面に凹部２０ａ，２０ｂと電気接点２１ａ〜２１ｃとを有する、記録媒体２が装填され、凹部２０ａ，２０ｂと嵌合して記録媒体２の挿入姿勢を規定する凸部４１ａ，４１ｂと記録媒体２の電気接点２１ａ〜２１ｃと接触する電気接点４０ａ〜４０ｃとを側面に備えた装填室１１と、装填室１１を開閉する蓋部材３とを有する。記録媒体２は、凹部２０ａ，２０ｂが凸部４１ａ，４１ｂと嵌合する正常姿勢でのみ装填室１１に正常に装填可能で、凹部が凸部に嵌合されない誤姿勢では、正常に装填されずに記録媒体２の少なくとも一部が装填室１１より露出したままとなり、装填室１１に記録媒体２が正常姿勢で装填された場合は、記録媒体２の電気接点２１ａ〜２１ｃと装填室１１の電気接点４０ａ〜４０ｃとが接触し、かつ蓋部材３による装填室１１の閉成が可能で、記録媒体２が誤姿勢で挿入された場合は、記録媒体２の電気接点２１ａ〜２１ｃと装填室１１の電気接点４０ａ〜４０ｃとが接触せず、かつ上記露出した記録媒体２との干渉により蓋部材３の閉成が阻止されるよう構成したものである。
【０００６】
なお、本発明の構成を説明する上記課題を解決するための手段と作用の項では、本発明を分かり易くするために実施例の図を用いたが、これにより本発明が実施例に限定されるものではない。
【発明の効果】
【０００７】
本発明によれば、記録媒体の凹部が装填室の凸部に嵌合されない誤姿勢では、記録媒体が正常に装填されず、このとき記録媒体の電気接点と装填室の電気接点とは接触せず、かつ蓋部材が記録媒体と干渉して閉成されないようにしたので、記録媒体が誤姿勢で装填されることがなく、それによる不都合を防止できる。
【発明を実施するための最良の形態】
【０００８】
以下、図１〜図１０を参照して本発明を電子スチルカメラに適用した実施例を説明する。まず、図４〜図８により本実施例の電子スチルカメラ（以下、カメラと略称する。）に設けられたメモリーカートリッジの挿脱機構について説明する。図４は本実施例のカメラの背面側の外観を示す。本実施例のカメラでは、カメラボディ１の背面１０のほぼ中央にメモリーカートリッジ２の装填室１１が形成され、この装填室１１を覆うように扉３が設けられている。図５に示したように、扉３はカメラボディ１に回動軸３０を中心として回動可能に取り付けられ、板ばね１２により装填室１１を開く方向に付勢されている。以下では扉３の回動軸３０側を支点側、回動軸３０に対して反対側を先端側と呼ぶ。扉３の先端側にはメモリーカートリッジ２の挿脱方向にスライド可能なノブ３１が設けられ、このノブ３１はばね３２ａにより扉３の先端側に付勢されている。扉３の一対の側壁３３（図４参照）にはメモリーカートリッジ２の挿脱方向に延びる一対のカード案内溝３３０（図５では片側のみ示す）が形成されている。扉３の支点側には凹部３４が設けられ、この凹部３４内に端子台４が取り付けられている。端子台４にはメモリーカートリッジ２の端子孔（図２の２１ａ〜２１ｃ）と電気的に嵌合する端子ピン群４０が設けられている。端子ピン群４０はＦＰＣ（フレキシブルプリント基板）１３を介して図２の制御装置７０と接続されるが、詳細は後述する。
【０００９】
扉３の内側にはカード駆動板５および連結板６が配置されている。連結板６は装填室１１の底面に軸６０を介して回動可能に取り付けられ、連結板６とカード駆動板５とは軸５１を介して回動可能に連結されている。軸５１の両端は扉３の側壁３３に設けられたカム溝３３１と嵌合する。カード駆動板５の一端は扉３の凹部３４に挿入されている。これらカード駆動板５および連結板６の作用により扉３の開閉動作に連動してメモリーカートリッジ２が着脱される。
【００１０】
すなわち、図５および図６に示すようにメモリーカートリッジ２を扉３の先端側からカード案内溝３３０に挿入し、その後、扉３を装填室１１に向けて押し込むと、図７に示すようにメモリーカートリッジ２がカード駆動板５の爪５２（図４参照），５３の間に入り込む。このときカード駆動板５の両側に突出した押え部５６が扉３の側壁３３の下面と係合する。図７の状態からさらに扉３を押し込むと、カード駆動板５の押え部５６が扉３にて押し下げられ、これに伴って連結板６が軸６０を中心として図の時計方向に回転しつつ軸５１がカム溝３３１に沿って移動してカード駆動板５が扉３の支点側に移動する。この結果、メモリーカートリッジ２が爪５２で端子台４側へ押し込まれ、メモリーカートリッジ２の端子孔と端子ピン群４０とが嵌合する。
【００１１】
図８の状態ではノブ３１がカメラボディ１の突起１７と係合し、扉３の開放が阻止される。また、扉３と一体の梁３３２に取り付けられた弾性材料製のリング３７と装填室１１の底面の段付きピン１６とが嵌合するため、ノブ３１が突起１７から外れる方向へ誤操作されても扉３が直ちには開かない。なお、５４はメモリーカートリッジ２を扉３に押し付ける板ばねである。
【００１２】
図８の状態からノブ３１を扉３の支点側にスライド操作して突起１７との係合を外し、続いて扉３を開放すると、上記の装着時とは逆にカード駆動板５が扉３の先端側に移動する。従って、メモリーカートリッジ２はカード駆動板５の爪５３に押されて端子ピン群４０から抜き取られ、図６の位置まで排出される。この状態ではメモリーカートリッジ２を掴んでカード案内溝３３０から引き出すことができる。
【００１３】
図５〜図８に示すように、装填室１１の底面にはリミットスイッチ１９が配置されている。扉３が完全に閉じた図８の状態ではリミットスイッチ１９の接点１９ａが扉３の側壁部３３に押されて接点１９ｂと接触し、扉３が幾らか開くと両接点１９ａ，１９ｂが離間する（図５〜図７参照）。以下では接点１９ａ，１９ｂが接触した状態をオン、接点１９ａ，１９ｂが開いた状態をオフと呼ぶ。オン・オフのタイミングの詳細は後述する。
【００１４】
図１（ａ）は端子台４とメモリーカートリッジ２との関係を示す斜視図である。端子台４の両端にはメモリーカートリッジ２の両側の凹部２０ａ，２０ｂと嵌合可能な凸部４１ａ，４１ｂが形成されている。凹部２０ａ，２０ｂおよび凸部４１ａ，４１ｂの幅および形成位置は左右で異なる。このため、メモリーカートリッジ２を図中の上下方向に反転させて挿入すると、凹部２０ａ，２０ｂおよび凸部４１ａ，４１ｂが嵌合せずメモリーカートリッジ２を端子ピン群４０に規定量挿入することができない。メモリーカートリッジ２をその挿脱方向に逆向きに挿入したときも同様である。このようにメモリーカートリッジ２の挿入姿勢を誤った場合、図９に示すようにメモリーカートリッジ２が爪５２と係合する手前の位置で停止し、そのまま扉３を押し込むと図１０に示すようにメモリーカートリッジ２が扉３とカメラボディ１の背面１０との間に挟まれる。なお、上述したカード駆動板５の爪５３は、端子ピン群４０と凸部４１ａ，４１ｂとの隙間に入り込むように設けられている。
【００１５】
図１（ａ）のＢ部を拡大した図１（ｂ）から明らかなように、端子ピン群４０には、メモリーカートリッジ２に電源を供給する電源ピン４０ａと、カメラとメモリーカートリッジ２との間のデータ伝送用の多数の信号ピン４０ｂと、メモリーカートリッジ２の存否を検出する在否ピン４０ｃとが設けられている。ピン４０ａ〜４０ｃの長さは、電源ピン４０ａが最も長く、信号ピン４０ｂが中間の長さで、在否ピン４０ｃが最も短い。従って、メモリーカートリッジ２が装填室１１から排出されるとき、最初に在否ピン４０ｃとメモリーカートリッジ２との接触が外れ、次に信号ピン４０ｂの接触が外れ、最後に電源ピン４０ａの接触が外れる。そして、上述したリミットスイッチ１９（図５参照）が扉３の開動作に連係してオンからオフに変化するタイミングは、在否ピン４０ｃの接触が外れるよりも確実に早くなるよう設定されている。なお、図１（ａ）に示すように、電源ピン４０ａは、端子ピン群４０の両端部および中央部にそれぞれ上下２本ずつ合計６本設けられている。また、在否ピン４０ｃは端子ピン群４０の両端部に１本ずつ合計２本設けられている。
【００１６】
図２はカメラの制御系のうち、特に上述したメモリーカートリッジ２との間のデータ伝送に係る部分の構成を示すブロック図である。７０はマイクロコンピュータおよびその動作に必要なメモリ等の周辺装置を備えた制御装置である。制御装置７０はメモリーカートリッジ２に対するデータ記録の他、撮影動作や画像データの圧縮などの各種の制御を行うが、それらに関する部分は図示を省略した。電源ピン４０ａおよび在否ピン４０ｃは１部のみ示している。制御装置７０には、データ伝送用のインターフェース７１を介して端子台４の信号ピン４０ｂが接続されるとともに、上述したリミットスイッチ１９および在否ピン４０ｃも接続されている。一対の電源ピン４０ａの一方は接地され他方は電源７２と接続されている。メモリーカートリッジ２にはピン４０ａ，４０ｂ，４０ｃとそれぞれ嵌合する端子孔２１ａ，２１ｂ，２１ｃが設けられるが、在否ピン４０ｃと嵌合する端子孔２１ｃは電源回路２２を介して電源供給用の一対の端子孔２１ａの接地側と接続されている。このため、端子孔２１ｃと在否ピン４０ｃとの接触が外れた状態では在否ピン４０ｃの電位がＨレベルにプルアップされ、在否ピン４０ｃと端子孔２１ｃとが接触すると在否ピン４０ｃの電位がＬレベルに低下する。従って、在否ピン４０ｃの電位によりメモリーカートリッジ２の存否を識別できる。なお、図２では端子孔２１ａ〜２１ｃを同一長さとしたが、ピン４０ａ〜４０ｃの長さに合わせて変化させてもよい。
【００１７】
図３は制御装置７０にて実行される各種の処理のうち、メモリーカートリッジ２へのデータ記録に係るルーチンを示すものである。メモリーカートリッジ２へのデータ記録が指示されると、制御装置７０はそれまで実行していた処理を一旦終了して図示の処理を開始し、まず、ステップＳ１０１で信号ピン４０ｂを介してデータ記録を開始する。続いてステップＳ１０２でデータ記録が終了したか否か判断し、記録途中であればステップＳ１０２でリミットスイッチ１９がオンか否か判断する。オンであればステップＳ１０１へ戻り、データ記録を続ける。ステップＳ１０２でデータ記録が終了していると判断したときは、図３の処理を終えて従前の処理に復帰する。
【００１８】
データ記録途中にステップＳ１０３でリミットスイッチ１９がオフと判断したとき（扉３の開動作の開始を意味する）はステップＳ１０４へ進み、記録途中のファイルに対する所定のファイル管理情報の記録を開始する。続くステップＳ１０５では在否ピン４０ｃとメモリーカートリッジ２の端子孔２１ｃとが接続されているか否か判断し、接続中であればステップＳ１０６でファイル管理情報の記録が完了したか否か判断する。ファイル管理情報の記録が完了していればステップＳ１０８へジャンプし、記録途中であればステップＳ１０４へ戻ってファイル管理情報の記録を続ける。
【００１９】
ファイル管理情報の記録途中にステップＳ１０５で在否ピン４０ｃが断続していると判断したときはステップＳ１０７へ進み、記録途中のファイルに対して記録未了フラグを記録する。この記録未了フラグはファイル管理情報が不完全であることを識別できるものであればよいので、通常は１ビットのデータ量で十分である。従って、在否ピン４０ｂの接触が外れてから信号ピン４０ｂの接触が外れるまでの短い時間でも信号ピン４０ｂを介して確実に記録未了フラグを記録できる。ステップＳ１０７の終了後はステップＳ１０８でカメラ内部におけるメモリーカートリッジ不在処置を行って従前の処理に復帰する。
【００２０】
以上のように、本実施例ではメモリーカートリッジ２の排出動作を端子ピン４０群が抜け始めるよりも早い時期にリミットスイッチ１９で検出してファイル管理情報の記録を開始するので、在否ピン４０ｃの抜けを検出してからファイル管理情報の記録を開始する場合と比較してファイル管理情報を完全に記録できる可能性が高い。特に、実施例のカメラでは軸５１や軸６０の嵌合部分のガタにより扉３が開動作を開始してからカード駆動板５が扉３の先端側（図５の左方）に移動を開始するまでに遅れが生じるので、リミットスイッチ１９がオフになってから在否ピン４０ｃが抜けるまでに十分な時間があり、ファイル管理情報を完全に記録できる可能性が一層高い。
【００２１】
ファイル管理情報が不完全なファイルに対して記録未了フラグが記録されるので、そのフラグにより不完全なファイルを特定して必要な処置を施すことができる。例えば、市販のファイルメンテナンスソフトを利用してファイル管理情報を修復できる可能性がある。在否ピン４０ｃが抜けた時点でファイル管理情報の記録を開始するならば、ファイル管理情報の記録途中で信号ピン４０ｂが抜けるとメモリーカートリッジ２に如何なる情報も記録することができず、ファイル管理情報の欠落が判別できない。
【００２２】
また、本実施例ではメモリーカートリッジ２の排出時に電源ピン４０ａが最も遅くまでメモリーカートリッジ２と接触しているので、上述した記録未了フラグの記録中に電源が切れてデータが破壊されるおそれがない。メモリーカートリッジ２を装着する際には、静電気などの帯電によりメモリーカートリッジ２の電位と端子ピン群４０の電位とが大きく異なっていても、まず電圧強度的に強い電源ピン４０ａがメモリーカートリッジ２側と接触して両者の電位が等しくなった後に信号ピン４０ｂが接触するから、電圧強度が比較的弱いメモリーカートリッジ２内の電子部品が破損するおそれもない。
【００２３】
なお、実施例ではピン４０ａ，４０ｂ，４０ｃの長さを変化させて端子ピン群４０とメモリーカートリッジ２の接触が外れる時期を調整したが、本発明はこのような態様に限定されない。例えば、ピン４０ａ〜４０ｃが同一長さであっても、メモリーカートリッジ２の端子孔側の電気的接触領域の長さが相違すれば、接触が外れる時期を変化させることができる。端子台４をピン４０ａ，４０ｂ，４０ｃ毎に分割し、扉３の開動作に連動して各端子台を必要な順序でメモリーカートリッジ２から後退させてもよい。但し、本実施例のようにピン４０ａ〜４０ｃの長さ調整で対応する場合には一つの端子台４にすべてのピン４０ａ〜４０ｃを並べておくだけで良いので、装置の小型化や製造コストの低減に有利である。また、実施例では扉３の開方向への移動をリミットスイッチ１９で検出したが、ノブ３１のスライド操作を検出すればより早く排出動作を検出できる。他にも、扉３の開動作に連係して移動する部分であれば、適宜開動作の検出に利用できる。扉３とは別個に排出機構を構成する場合でも本発明は適用可能である。電子スチルカメラ以外の装置にも本発明は適用できる。
【図面の簡単な説明】
【００２４】
【図１】本発明の実施例に係るメモリーカートリッジとカメラ内の端子台との接続部分を示し、（ａ）はメモリーカートリッジおよび端子台の全体を示す斜視図、（ｂ）は（ａ）のＢ部の拡大図。
【図２】実施例のカメラの制御系のうちデータ記録部分の構成を示すブロック図。
【図３】図２の制御装置にて実行されるデータ記録処理を示すフローチャート。
【図４】実施例のカメラの背面側からの斜視図。
【図５】実施例のカメラにおいて、メモリーカートリッジの装填室の扉を最大に開けた状態を示す図。
【図６】図５の扉にメモリーカートリッジを挿入した状態を示す図。
【図７】図６の状態から扉を幾らか閉めた状態を示す図。
【図８】図５の扉を完全に閉めた状態を示す図。
【図９】図５の扉にメモリーカートリッジを誤った向きで挿入した状態を示す図。
【図１０】図９の状態から扉を閉めた状態を示す図。
【符号の説明】
【００２５】
１  カメラボディ
２  メモリーカートリッジ
３  装填室の扉
４  端子台
５  カード駆動板
６  連結板
１１  メモリーカートリッジの装填室
１９  扉開動作検出用のリミットスイッチ
２１ａ，２１ｂ，２１ｃ  メモリーカートリッジの端子孔
２２  メモリーカートリッジの電源回路
４０  端子ピン群
４０ａ  電源ピン
４０ｂ  データ伝送用の信号ピン
４０ｃ  在否ピン